(57)【特許請求の範囲】
【請求項１】
アプリケーション層データを含む信号を、米国国内標準協会（ＡＮＳＩ）ベースの第１のＮｏ．７信号方式（ＳＳ７）網と、国際電信電話諮問委員会（ＣＣＩＴＴ）ベースの第２のＳＳ７網との間で通信するシステムであって、前記第１のＳＳ７網および前記第２のＳＳ７網はインコンパチブルであり、前記システムは、
前記第１のＳＳ７網を前記第２のＳＳ７網に接続する信号中継点（ＳＴＰ）関門を含み、前記ＳＴＰ関門は、
信号接続制御部（ＳＣＣＰ）層モジュール、および、
前記ＳＣＣＰ層モジュールとインターフェイスされた変換モジュールを含み、前記変換モジュールは、
前記ＳＳ７網の一つから前記信号を受信し、
前記ＳＳ７網の前記一つから受信された前記信号内の、アドレッシングデータとしてのＳＣＣＰパラメータを、他のＳＳ７網とコンパチブルなアドレッシングデータとしてのＳＣＣＰパラメータへ、ＡＮＳＩプロトコルとＣＣＩＴＴプロトコルとの間で変換し、
該変換においては、前記ＡＮＳＩベースのＳＳ７電気通信網とコンパチブルな該ＳＣＣＰパラメータのデータ構造と、前記ＣＣＩＴＴベースのＳＳ７電気通信網とコンパチブルな該ＳＣＣＰパラメータのデータ構造との間でデータ構造を再構成するとともに、前記ＡＮＳＩベースのＳＳ７電気通信網とコンパチブルな該ＳＣＣＰパラメータと、前記ＣＣＩＴＴベースのＳＳ７電気通信網とコンパチブルな該ＳＣＣＰパラメータとの間で前記ＳＣＣＰパラメータの値を変換する、システム。
【請求項２】
請求項１記載のシステムであって、前記変換モジュールは、前記ＡＮＳＩベースのＳＳ７電気通信網とコンパチブルなＳＣＣＰパラメータと、前記ＣＣＩＴＴベースのＳＳ７電気通信網とコンパチブルなＳＣＣＰパラメータとの間で変換するシステム。
【請求項３】
請求項２記載のシステムであって、前記変換モジュールにより変換可能な前記ＡＮＳＩベースＳＳ７電気通信網から受信する前記ＳＣＣＰパラメータは、
サブシステム番号（ＳＳＮ）、
シグナリングポイントコード（ＳＰＣ）、
トランスレーションタイプ（ＴＴ）、および
グローバルタイトルシリーズ（ＧＴＳ）、
を含む、システム。
【請求項４】
請求項１記載のシステムであって、前記変換モジュールは、前記ＡＮＳＩベースのＳＳ７電気通信網とコンパチブルなトランスレーションタイプ（ＴＴ）およびグローバルタイトルシリーズ（ＧＴＳ）値と、前記ＣＣＩＴＴベースのＳＳ７電気通信網とコンパチブルなＴＴ、ナンバリングプラン（ＮＰ）、アドレス性質インジケータ（ＮＡ）およびＧＴＳ値と、の間で変換するシステム。
【請求項５】
請求項１記載のシステムであって、前記変換モジュールは、前記ＡＮＳＩベースのＳＳ７電気通信網とコンパチブルなシグナリングポイントコード（ＳＰＣ）およびサブシステム番号（ＳＳＮ）値と、前記ＣＣＩＴＴベースのＳＳ７電気通信網とコンパチブルなＴＴ、ナンバリングプラン（ＮＰ）、アドレス性質インジケータ（ＮＡ）およびＧＴＳ値と、の間で変換するシステム。
【請求項６】
請求項１記載のシステムであって、前記変換モジュールは、前記ＡＮＳＩベースのＳＳ７電気通信網とコンパチブルな前記ＳＣＣＰパラメータ値と、前記ＣＣＩＴＴベースのＳＳ７電気通信網とコンパチブルなＳＣＣＰパラメータ値との間で変換する値を格納するレジスタをさらに含む、システム。
【請求項７】
請求項２記載のシステムであって、前記変換モジュールにより変換可能な前記ＣＣＩＴＴベースのＳＳ７電気通信網から受信する前記ＳＣＣＰパラメータは、
サブシステム番号（ＳＳＮ）、
シグナリングポイントコード（ＳＰＣ）、
トランスレーションタイプ（ＴＴ）、
ナンバリングプラン（ＮＰ）、
アドレス性質インジケータ（ＮＡ）、
グローバルタイトルシリーズ（ＧＴＳ）、或いは、
これらの組合せ、
を含むグループから選択される、システム。
【請求項８】
請求項１記載のシステムであって、
前記信号には、Ｃｇｐａ値を有する発呼者アドレス（Ｃｇｐａ）パラメータが含まれ、前記変換モジュールは、
前記Ｃｇｐａ値を前記ＳＣＣＰパラメータの一つへコピーする手段と、
前記Ｃｇｐａパラメータを前記ＳＴＰ関門を示すネットワークアドレスで置き換える手段と、
をさらに備えるシステム。
【請求項９】
米国国内標準協会（ＡＮＳＩ）プロトコルに基づく電気通信網内の第１のアプリケーションモジュールと、国際電信電話諮問委員会（ＣＣＩＴＴ）プロトコルに基づく電気通信網内の第２のアプリケーションモジュールとの間で送信されるデータを搬送する方法であって、前記方法は、
前記アプリケーションモジュールのいずれかにより送信される前記データを運ぶ信号内の信号接続制御部（ＳＣＣＰ）パラメータを検索するステップと、
前記ＡＮＳＩプロトコルに基づく電気通信網とコンパチブルな該ＳＣＣＰパラメータのデータ構造と、前記ＣＣＩＴＴプロトコルに基づく電気通信網とコンパチブルな該ＳＣＣＰパラメータのデータ構造との間でデータ構造を再構成するとともに、前記ＡＮＳＩに基づくＳＳ７電気通信網とコンパチブルな該ＳＣＣＰパラメータと、前記ＣＣＩＴＴに基づくＳＳ７電気通信網とコンパチブルな該ＳＣＣＰパラメータとの間で前記ＳＣＣＰパラメータの値を変換することによって、前記ＳＣＣＰパラメータ内の被呼者／発呼者アドレスを、ＡＮＳＩプロトコルとＣＣＩＴＴプロトコルとの間で変換するステップと、
前記変換された被呼者／発呼者アドレスを有する前記信号を他方のアプリケーションモジュールへ送信するステップと、を含む方法。
【請求項１０】
請求項９記載の方法であって、前記被呼者／発呼者アドレスを変換する前記ステップは、前記ＡＮＳＩプロトコルに基づく電気通信網とコンパチブルなトランスレーションタイプ（ＴＴ）およびグローバルタイトルシリーズ（ＧＴＳ）と、前記ＣＣＩＴＴプロトコルに基づく電気通信網とコンパチブルなＴＴ、ナンバリングプラン（ＮＰ）、アドレス性質インジケータ（ＮＡ）、およびＧＴＳ値との間で変換するステップをさらに含む、方法。
【請求項１１】
請求項９記載の方法であって、前記被呼者／発呼者アドレスを変換する前記ステップは、前記ＡＮＳＩプロトコルに基づく電気通信網とコンパチブルなシグナリングポイントコード（ＳＰＣ）およびサブシステム番号（ＳＳＮ）値と、前記ＣＣＩＴＴプロトコルに基づく電気通信網とコンパチブルなＴＴ、ナンバリングプラン（ＮＰ）、アドレス性質インジケータ（ＮＡ）、およびＧＴＳ値との間で変換するステップをさらに含む、方法。
【請求項１２】
請求項９記載の方法であって、
前記ＡＮＳＩプロトコルに基づく電気通信網は、信号中継点（ＳＴＰ）関門を経由して前記ＣＣＩＴＴプロトコルに基づく電気通信網と接続され、
前記発呼者アドレスは、前記ＳＣＣＰパラメータの第１のものに格納され、
前記変換するステップは、
前記発呼者アドレスを前記ＳＣＣＰパラメータの第２のものに格納するステップと、
前記ＳＴＰ関門を示すネットワークアドレスを前記ＳＣＣＰパラメータの前記第１のものに格納するステップと、
をさらに含む、方法。
【発明の詳細な説明】
発明の背景
発明の技術分野
本発明は異なる電気通信網にわたるアプリケーション層信号の通信に関し、特に第１のＮｏ．７共通線信号方式（ＳＳ７）電気通信網と第２のＳＳ７電気通信網間のアプリケーション層信号の変換に関し、第１および第２のＳＳ７電気通信網はインコンパチブルである。
関連技術の説明
典型的な電気通信交換機は莫大な数のデバイス、信号端末、とりわけ電気通信ユーザへ電気通信サービスを提供するソフトウェアおよびハードウェアモジュールを含む複雑なデジタルプロセッサである。前記したデジタルプロセッサおよび共通線信号方式（ＣＣＳ）網の発展により、現在典型的な電気通信交換機は単なる音声データを遥かに凌ぐデータをサポートし運ぶことができる。このようなデータにはビデオ画像、制御信号、もしくは特定用途情報が含まれる。このような特定用途情報の例として、既設の電気通信網を介して通信され顧客のクレジットカード番号を照合するクレジットカード検証がある。
２台以上の電気通信交換機が互いに適切にデータを交換するには、“会話”の全ての加入者が特定の通信プロトコルに適合しなければならない。各加入者は厳密にプロトコルに従って正しい場所へタイミングよくしかも正しくデータを送って、ネットワークもしくは一連のネットワークを介して会話すなわちセションに関わるエンドユーザと認識可能なデータを通信しなければならない。したがって、最新の電気通信産業では、オープンシステムインターコネクション（ＯＳＩ）モデルに基づくプロトコルを使用して標準通信システムが相互に連結されている。
ＯＳＩモデルはさまざまなベンダーにより作られるさまざまなシステム間の通信に対して国際的に容認されている唯一の標準の枠組みである。ＯＳＩの目標は任意のネットワークに接続されている任意のベンダーのコンピュータシステムが、そのネットワーク上の任意他のコンピュータシステムと自由にデータを共有することができるオープンシステムネットワーク環境を作り出すことである。しかしながら、システムが“オープンである”ということは特定のプロトコルや仕様を意味するものではない。むしろ、ＯＳＩはユーザがより高レベルのＯＳＩ層に適合するそれ自体の電気通信仕様を開発できるようにしそれをサポートする概念および機能的枠組みを提供するものである。電気通信のために最も広く容認されているＯＳＩ標準は共通線信号方式（ＣＣＳ）である。特に、米国においてＣＣＳを実施するために最も広く使用されている技術はＮｏ．７信号方式（ＳＳ７）である。しかしながら、同じＳＳ７電気通信プロトコル内でも、異なるネットワークに対する異なる実施例がある。
米国では米国国内標準協会（ＡＮＳＩ）により開発されたＳＳ７プロトコルが利用されている。一方、欧州の国々は国際電信電話諮問委員会（ＣＣＩＴＴ）により開発されたＳＳ７プロトコルを利用している。２つのプロトコル間の一つの相違点はそれぞれの信号接続制御部（ＳＣＣＰ）により利用されるデータ構造およびアドレッシング機構である。このような違いにより、トランザクション機能アプリケーション部（ＴＣＡＰ）メッセージを利用するアプリケーションモジュールはＡＮＳＩベースＳＳ７網からＣＣＩＴＴベースＳＳ７網へＴＣＡＰメッセージを運ぶことができない。例えば、前記したインコンパチビリティにより、欧州の米国クレジットカードユーザは自分のクレジットカード情報を欧州から米国の自分の銀行へ送って自分のクレジットカードを検証することができない。
別の例は、異なる電気通信網にわたってＣＡＣ（Class Automatic Callback）等のクラス７特殊加入者機能を使用することである。ＣＡＣ機能に従って、第１の加入者が第２の加入者へ向けて発呼する度に、第１の加入者にサービスする第１の市内交換機により維持されるデータベースに第２の加入者の行先電話番号が格納される。最初の接続が終端した後で第１の加入者が第２の加入者へかけ直したい場合には、第１の加入者はサービスコードをダイヤルするだけでよい。サービスコードを受信すると、第１の市内交換機は格納された発信電話番号を検索して新しい呼設定を開始する。しかしながら、第２の加入者が既に話中であれば、第２の加入者にサービスする第２の市内交換機は呼設定要求を待ち行列に並べて話中回線を監視する。回線が空いたら、第２の市内交換機は第１の市内交換機へＴＣＡＰ情報を送って第２の加入者を利用できることを知らせる。次に、第１の市内交換機は第１の加入者を呼び戻し（リング）、さらに第２の加入者へ向けて新しい呼の設定を開始する。したがって、被呼加入者が話中であれば、電気通信システムは回線を空くまで自動的に監視し２人の加入者間に即座に新しい呼を設定する。接続が確立されるまで繰り返し被呼加入者をダイヤルする必要がないため、それは加入者にとって便利である。ＴＣＡＰメッセージはＡＮＳＩベース網とＣＣＩＴＴベース網間を運んで機能の活性化を制御することができないため、米国のネットワークから欧州のネットワーク等への異なる電気通信網にわたってこのようなクラス機能を働かせることはできない。
したがって、ＡＮＳＩ  ＳＳ７網とＣＣＩＴＴ  ＳＳ７網間のコンパチブルな通信を可能にする変換システムを提供すれば有利である。このような変換により、ＡＮＳＩ  ＳＳ７網内に常駐するアプリケーションモジュールはＣＣＩＴＴ  ＳＳ７網内に常駐する他のアプリケーションモジュールとＴＣＡＰメッセージや他のアプリケーション層データを有利に通信することができる。
発明の要約
本発明により、第１のＳＳ７電気通信網により発生されるアプリケーション層データを含む電気通信信号を第２のＳＳ７電気通信網を横切って運ぶことができる方法および装置が提供され、第１のＳＳ７電気通信網および第２のＳＳ７電気通信網はインコンパチブルである。
一つの特徴に従って、本発明により米国国内標準協会（ＡＮＳＩ）ベースＳＳ７電気通信網と国際電信電話諮問委員会（ＣＣＩＴＴ）ベースＳＳ７電気通信網との間でアプリケーション層信号を変換する方法および装置が提供される。
もう一つの特徴に従って、本発明によりＡＮＳＩベースＳＳ７電気通信網とＣＣＩＴＴベースＳＳ７電気通信網との間でシグナリング接続制御部（ＳＣＣＰ）パラメータを変換する方法および装置が提供される。
【図面の簡単な説明】
添付図と共に以下の詳細説明を読めば本発明の方法および装置をより完全に理解することができ、ここに、
図１は典型的なＮｏ．７信号方式（ＳＳ７）電気通信網を示すブロック図。
図２はＳＳ７電気通信網内のさまざまな層を示すブロック図。
図３はインコンパチブルなＡＮＳＩベースおよびＣＣＩＴＴベース電気通信網を示すブロック図。
図４はＡＮＳＩおよびＣＣＩＴＴベースＳＳ７電気通信システムに対するさまざまなアドレッシングデータ構造を示すブロック図。
図５はＡＮＳＩおよびＣＣＩＴＴベースＳＳ７電気通信システム間で信号を変換するために信号接続制御部（ＳＣＣＰ）モジュールとインターフェイスするコンバータを示すブロック図。
図６はＡＮＳＩおよびＣＣＩＴＴベースＳＳ７電気通信網間で信号を変換する国際信号中継局（ＳＴＰ）関門を示すブロック図。
図面の詳細な説明
図１はここに開示される本発明を実施することができる典型的なＮｏ．７信号方式電気通信網を表す線図である。デジタル交換の出現により、共通線信号方式（ＣＣＳ）は急速に回路交換網内の呼接続を処理するための好ましい方法となりつつある。米国においてＣＣＳを実施するために最も広く使用されている技術は、最初に国際電信電話諮問委員会（ＣＣＩＴＴ）で作られ後に米国国内標準協会（ＡＮＳＩ）により修正されたＮｏ．７信号方式（ＳＳ７）である。ネットワーク内でルーティングおよび信号機能を実施するために、市内交換機Ａ  １０Ａから市内交換機Ｂ  １０Ｂへパケット交換網を介してメッセージを送らなければならない。２つの信号中継点（ＳＴＰ）２７０Ａ，２７０Ｂは、任意の２つのノード間に常に２つ以上の信号リンク２７５を提供することによりシグナリングメッセージの信頼性の高い転送を行うように設計されている。アプリケーション層データを含むこれらの信号は、起呼ノード（origination node）と行先ノード（destination node）（ノードは市内交換機、データベース、もしくは電気通信網に接続された任意他の信号発生要素を含む）間に物理的接続を確立することなくネットワークもしくは一連のネットワーク内を運ばれる。音声や映像データを運ぶチャネルとは異なり、別々の各パケットは所期のノードへ向けて個別に別々にルーティングされる。
したがって、各信号はパケットを行先ノードへ正しく送るようＳＴＰを指令する起呼および行先アドレスを含んでいる。クレジットカード検証手順やClass Automatic Callback機能等のアプリケーション層モジュールが必要とするデータはトランザクション機能アプリケーション部（ＴＣＡＰ）メッセージ信号その他のアプリケーション層信号内に包まれてネットワーク内の一つのノードからもう一つのノードへ運ばれる。特に、各信号ヘッダー内の信号接続制御部パラメータには、ネットワークもしくは一連のネットワークにわたって信号を伝えられるようにするのに必要な起呼および行先呼アドレスが記入される。
ＣＣＳ  ＳＳ７は世界中で最も広く使用されている電気通信網である。しかしながら、ＣＣＳ  ＳＳ７標準でさえもいくつかの異なるバリエーションがある。例えば、米国では米国国内標準協会（ＡＮＳＩ）ベースＳＳ７標準が順守され、欧州の国々では国際電信電話諮問委員会（ＣＣＩＴＴ）ベースＳＳ７標準が順守されている。ＡＮＳＩ  ＳＳ７標準とＣＣＩＴＴ  ＳＳ７標準間の一つの相違点は、前記したＳＣＣＰパラメータにより利用される異なるアドレッシングフォーマットおよび機構である。さらに、２つの標準により異なるアドレスレベルおよびデータが使用されるため、一つのＡＮＳＩベースＳＣＣＰネットワークから別のＣＣＩＴＴベースＳＳ７ネットワークへアプリケーション層信号を通信および移送することが妨げられている。
図２は典型的なＳＳ７電気通信システム内の異なる層を示す。オープンシステムインターフェイスの層アーキテクチュアに従って、ＳＳ７電気通信システムは多数のシステム層へも分けられる。基本的に、ＳＳ７は２つの部分、ユーザ部およびメッセージ転送部、を有している。メッセージ転送部（ＭＴＰ）３００はＳＳ７ネットワークの最下層でありネットワーク内のポイントからポイントへ物理的にデータを運ぶのに使用される。ユーザ部にはいくつかのバラエティがある。このようなユーザ部の例として基本的電話サービスに対する電話ユーザ部（ＴＵＰ）３６０、および音声、データおよび音声サービスを結合するサービス総合デジタル網（ＩＳＤＮ）ユーザ部（ＩＳＵＰ）３５０が含まれる。これらのユーザ部もコネクションレスであるが、連続した移送サービスを提供するのにＭＴＰ３００を利用する。ＳＳ７網の最上層に常駐するアプリケーション３４０はトランザクション機能アプリケーション部（ＴＣＡＰ）層３３０、および信号接続制御部（ＳＣＣＰ）層３１０を利用して一つのアプリケーションから別のアプリケーションへＭＴＰ３００を介してアプリケーション層データを運ぶ。アプリケーションはさらにそれ自体が所有するメッセージ信号を利用してＳＣＣＰ層３１０と直接インターフェイスして一つのアプリケーションから別のアプリケーションへアプリケーション層データを通信する。
ＳＣＣＰ３１０の目的はエンド−ツウ−エンドルーティング（end-to-endrouting）手段を提供することである。したがって、ＳＣＣＰ３１０は特定信号内の特定アドレスを処理して特定の着局へ適切にデータを送る。このアドレッシング情報は、信号中継点（ＳＴＰ）等の、各シグナリングポイントにおいてＭＴＰ３００によりどの通信リンクを使用するかを決定するのに使用される。ＳＣＣＰ３１０により要求されるアドレッシング情報内には基本的に２種のアドレス、被呼者アドレスおよび発呼者アドレスがある。通常被呼者／発呼者アドレスはユーザによりダイヤルされるデジットである。最初の交換機すなわちシグナリングポイントコード（ＳＰＣ）がポイントコードすなわち行先ノードのサブシステム番号を知らない場合には、ＳＣＣＰはルーティングのためにグローバルタイトルデジットを使用しなければならない。あるポイントにおいて、ポイントコードおよびサブシステム番号はメッセージがその最終行先へ到達できるように提供しなければならない。この機能はグローバルタイトルトランスレーションとして知られており、通常着呼ノードに隣接するＳＴＰにより提供される。
次に、図３にＡＮＳＩベースＳＳ７電気通信網とＣＣＩＴＴ  ＳＳ７電気通信網との間に存在するインコンパチビリティを示すブロック図を示す。ＡＮＳＩベースＳＳ７電気通信網に接続されたアプリケーションモジュール３４０Ａがアプリケーション層データを含む信号をそのＴＣＡＰ層３３０Ａへ送信する。次に、ＡＮＳＩ網用ＴＣＡＰ層３３０Ａは信号をそのＡＮＳＩ  ＳＣＣＰ層３１０Ａとインターフェイスさせる。ＡＮＳＩ  ＳＣＣＰ層３１０ＡはＭＴＰ層３００Ａにより提供される物理的媒体上へ信号をロードしてＣＣＩＴＴネットワーク上へのデータ移送を試みる。ＣＣＩＴＴ  ＳＳ７網に接続されたアプリケーション層３４０ＢおよびＴＣＡＰ層３３０Ｂは対応するＡＮＳＩ  ＳＳ７網層とコンパチブルではあるが、ＳＣＣＰパラメータ間に存在するインコンパチビリティにより、一つのネットワークをサービスするＳＣＣＰは他のネットワークから受信する被呼者／発呼者アドレスを認識して解釈することができない。したがって、コンパチブルである筈のアプリケーション層データを２つのネットワークにまたがって運ぶことができない。
次に、特にＡＮＳＩおよびＣＣＩＴＴ  ＳＣＣＰパラメータ構造に関してこの矛盾を図４に示す。ＡＮＳＩ  ＳＣＣＰパラメータデータ構造４６０は被呼者アドレスおよび発呼者アドレスがＡＮＳＩ  ＳＳ７電気通信網内で信号を適切にルーティングしかつ戻すのに必要なデータのフォーマットおよびタイプを示している。アドレスインジケータ４００はＳＣＣＰパラメータの一部が特定の信号内に指定されるデータを指定する。例えば、Ｓビット４０２はサブシステム番号（ＳＳＮ）データがＳＳＮデータ部４０５に与えられているかどうかを指定する。ＳＮＮ番号は、通常ＳＳ７網内のデータベースや特別な加入者機能等のアプリケーションモジュールへ割り当てられる。一方、シグナリングポイントコード（ＳＰＣ）はＳＳ７ネットワーク内の交換ノードへ割り当てられる。同様に、Ｐビット４０３はＳＰＣデータがＳＰＣデータ部４１０で与えられているかどうかを指定する。グローバルタイトルインジケータ（ＧＴＩ）ビット４０４はデータ部４１５に格納されるグローバルタイトル情報のフォーマットも指定する。ヘッダーの残りには、前記したアドレスインジケータ４００により与えられているためフラグが付されている実データもロードされる。したがって、第２オクテッドはＳＮＮデータを格納する。第３、第４および第５オクテッドは、ＳＰＣデータの番号、クラスタおよびネットワークコードをそれぞれ格納する。最後に、第６オクテッドはＴＴデータを格納する。
同様に、ＣＣＩＴＴ標準４７０では、アドレスインジケータ４２５はＳＣＣＰパラメータの第１オクテッドを占有する。第２および第３オクテッドはＳＰＣデータ４３０を格納する。第４オクテッドはＳＳＮデータ４３５により占有される。第５オクテッドはＴＴデータ４４０により占有される。第６オクテッドの半分はナンバリングプラン（ＮＰ）データ４４５を格納するためのものである。最後に、第７オクテッドはアドレス性質インジケータ（ＮＡ）データ４５０を格納するのに使用される。
前記したＳＣＣＰパラメータを使用して表されるこれらの被呼者／発呼者（Called/Culling party）アドレスはアプリケーション層データを２つのノード間でルーティングおよび通信するのに必要である。しかしながら、前記したように、ＡＮＳＩ標準に対する被呼者／発呼者アドレスを表すデータ構造はＣＣＩＴＴ標準データ構造とはインコンパチブルである。ＡＮＳＩ標準によりフォーマット化された信号がＣＣＩＴＴベースＳＳ７電気通信網へ運ばれると、このようなＳＣＣＰパラメータ差により、ＣＣＩＴＴ  ＳＳ７ネットワークは受信信号を認識して適切にルーティングすることができない。したがって、ＡＮＳＩベースＳＣＣＰパラメータがＣＣＩＴＴベースＳＳ７ネットワークにより認識されるようにするために、データ値だけでなくデータフォーマットも変換しなければならない。
本発明の教示に従って、一方のネットワーク標準から受信されるＳＣＣＰパラメータは再フォーマット化され、他方のネットワーク標準とコンパチブルとなるように変換される。それにより、他方のネットワークに関連するＳＣＣＰ層はアプリケーション層データを含む信号を認識して意図された行先ノードへ再ルーティングすることができる。図５にＡＮＳＩ−ＣＣＩＴＴコンバータ３７０を使用してＳＣＣＰ層３１０とインターフェイスしてＳＣＣＰパラメータを受信し変換する様子を示す。前記したインコンパチビリティ問題を回避するために、起呼ノードは発信ＳＣＣＰパラメータを行先ネットワークとコンパチブルとなるように変換するコンバータを含んでいる。しかしながら、このような実施例が許されるのは行先ノードが何の標準に従っているかを起呼ノードが常に知っている場合に限られる。さらに、起呼および行先ノード間のＳＣＣＰパラメータ内に指定されているものとは異なるプロトコルを利用するＳＴＰがあれば、ルーティングも失敗する。したがって、ＡＮＳＩ  ＳＳ７ネットワークおよびＣＣＩＴＴ  ＳＳ７ネットワークがインターフェイスする各ポイントに独立した変換テーブル付きコンバータが設けられる。
ＡＮＳＩ  ＭＴＰ層３００ＡはＡＮＳＩ  ＳＳ７網から物理的に信号を運んでＡＮＳＩ  ＳＣＣＰモジュール３１０Ａとインターフェイスする。ＡＮＳＩ  ＳＣＣＰモジュール３１０ＡはＭＴＰ層３００Ａから信号を検索してコンバータ３７０へ転送する。コンバータ３７０は、その変換テーブルすなわちレジスタ３７２に格納されたダイナミック値に応答して、起呼ノードにより指定されるＳＣＣＰパラメータを適切な行先ネットワークとコンパチブルとなるように変化させる。変換されたＳＣＣＰパラメータを有しまだ同じアプリケーション層データを含んでいる信号が、次に、行先ネットワークへ送信され行先アプリケーションユーザノードへ送られる。したがって、変換された信号は着信ＣＣＩＴＴ  ＳＣＣＰモジュール３１０Ｂとインターフェイスされる。次に、ＣＣＩＴＴ  ＳＣＣＰモジュール３１０Ｂは信号をＣＣＩＴＴ  ＭＴＰ層３００Ｂとインターフェイスさせて行先ノードへ運ぶ。
全体変換およびインターフェイス過程中は、信号ヘッダー内のＳＣＣＰ層データしかコンバータにより処理されず、ＴＣＡＰデータを含む他の全ての層データはコンバータを介して透明性をもって運ばれる。
図６は本発明の典型的な実施例である。典型的に、国際ＳＴＰ関門（gateway）３８５を使用して第１の国内網が第２の国内網と接続される。例えば、国際ＳＴＰ関門３８５により米国３８０のＡＮＳＩ  ＳＴＰ網が欧州３９０のＣＣＩＴＴＳＳ７網と接続されて、両大陸に跨がる加入者に電気通信サービスが提供される。呼設定および音声データ通信を含む正規の電話サービスに対して、コンバータは不要である。正規の電話接続に対して、ＩＳＵＰやＴＵＰ等の信号はＳＣＣＰパラメータを必要としない。しかしながら、ＳＣＣＰパラメータを利用する信号内に包まれるアプリケーション層データは、国際ＳＴＰ関門３８５内に常駐するコンバータ３７０により捕獲されて変換される。その結果、ＡＮＳＩ  ＳＳ７網３８０に接続されたアプリケーションモジュール３４０Ａは、ＣＣＩＴＴ  ＳＳ７網３９０に接続されたアプリケーションモジュール３４０Ｂとアプリケーション層データを通信することができる。アプリケーションモジュール３４０Ａとアプリケーションモジュール３４０Ｂとの間で呼接続を維持する必要はない。コネクションレスタイプのセットアップを利用することにより、アプリケーション層データを含む信号を２つのアプリケーションモジュール間で運んでエンドユーザに先進的な加入者機能および機能性を提供することができる。
国際ＳＴＰ関門３８５内に常駐するコンバータモジュール３７０は２つの機能を実施する、すなわち、ＳＳ７パラメータを再フォーマット化して着局の標準が要求する仕様に適合させ、さらに着信ＳＳ７網が認識できるようにＳＣＣＰパラメータ値を変換する。したがって、コンバータモジュール３７０はＳＣＣＰパラメータ値を格納している変換テーブルおよびそれらの相互参照ポインタを参照して前記したタスクを成し遂げる。典型的な変換テーブルすなわちレジスタ３７２は下記のように構成される。
0003936400.tif 000002
前記エントリを使用して、ＡＮＳＩ  ＳＣＣＰパラメータ値がさらに相互参照されテーブル２に従って対応するＣＣＩＴＴ  ＳＣＣＰパラメータ値へ変換される。
0003936400.tif 000003
図６において、５のＳＳＮ値を有するアプリケーションモジュール３４０Ａが、ＡＮＳＩ  ＳＳ７網３８０内の８−９−１のＳＰＣ値を有するノードに接続されている間にメッセージを発信する。したがって、発呼者アドレス（Ｃｇｐａ）はアプリケーションモジュール３４０Ａに対してＳＰＣ＝８−９−１、ＳＳＮ＝５である。このＣｇｐａアドレスは後に信号をアプリケーションモジュール３４０Ａへ戻すのに必要である。ユーザ入力被呼者アドレス（Ｃｄｐａ）もＳＣＣＰパラメータにより指定して、例えば、ＴＴ＝３；およびＧＴＳ＝０５５１１．．．を示す必要がある。前記したＣｇｐａおよびＣｄｐａ  ＳＣＣＰパラメータを含む信号が国際ＳＴＰ関門３８５により受信されると、コンバータ３７０は前記受信ＣｄｐａおよびＣｇｐａを適切なＣＣＩＴＴフォーマット化された値へ変換する。ＴＴ＝３はＡＮＳＩ  １ラベルに対応するため、それはテーブル２に指定されているようにＣＣＩＴＴ  １ラベルに従って変換される。
ＡＮＳＩ標準のトランスレーションタイトル（ＴＴ）３はこの特定Ｃｇｐａがセルラー全国ローミングサービス番号であることを暗示している。米国および欧州は異なるＳＣＣＰ仕様を利用してはいるが、米国の移動通信用グローバルシステム（ＧＳＭ）標準は欧州からのＧＳＭと同じＣＣＩＴＴ  ＴＣＡＰを使用している。したがって、ＧＴＳ値は修正されずＣＣＩＴＴ網へ変えられることなく運ばれる。ＴＴ，ＮＡ，およびＮＰ値だけが修正すなわちＳＣＣＰパラメータへ加えられて、この特定信号はセルラー全国ローミングサービス番号のトランスレーションタイプを有することがＣＣＩＴＴネットワークへ適切に知らされる。したがって、テーブル１およびテーブル２を使用して、前記ＣｄｐａおよびＣｇｐａ  ＣＣＰＡパラメータ値は下記のように変換される。
Ｃｄｐａ：ＴＴ＝０
ＮＰ＝７
ＮＡ＝４
ＧＴＳ＝０５５１１．．．
Ｃｇｐａ：ＴＴ＝０
ＮＰ＝５
ＮＡ＝４
ＧＴＳ＝３２１
前記変換されたＳＣＣＰパラメータ値はさらに図４に示すデータシンタクス４７０に対応するようにフォーマット化される。その結果、アプリケーション層データを含む変換された信号はＣＣＩＴＴ  ＳＳ７網を横切って運ぶことができるようになる。
続いて、ＣＣＩＴＴ  ＳＳ７網３９０内に２−７２１のＳＰＣ値を有するノードに接続された６のＳＳＮ値を有するアプリケーションモジュール３４０Ｂがアプリケーションモジュール３４０Ａへ信号を戻すと、下記のＣｄｐａおよびＣｇｐａ  ＣＣＰＡパラメータが再び国際ＳＴＰ関門３８５により受信される。
Ｃｄｐａ：ＴＴ＝０
ＮＰ＝５
ＮＡ＝４
ＧＴＳ＝３２１．．．
Ｃｇｐａ：ＴＴ＝０
ＮＰ＝７
ＮＡ＝４
ＧＴＳ＝０５５１１．．．
再び、テーブル１および２の変換値に従って、前記ＣＣＰＡパラメータ値は次のように変換される。
Ｃｄｐａ：ＳＰＣ＝８−９−１
ＳＳＮ＝５
Ｃｇｐａ：ＴＴ＝３
ＧＴＳ＝０５５１１．．．
さらに、前記変換されたＳＣＣＰパラメータ値は、図４に示すデータ仕様に従ってＡＮＳＩ  ＳＳ７網とコンパチブルとするために再フォーマット化される。２，３のＳＣＣＰパラメータしか例示しなかったが、下記のＡＮＳＩ  ＳＣＣＰパラメータの任意の一つもしくは組合せを下記のＣＣＩＴＴ  ＳＣＣＰパラメータから及びパラメータに変換することができる。
0003936400.tif 000004
本発明の方法および装置の好ましい実施例を添付図に例示し詳細な説明において説明してきたが、本発明は開示された実施例に限定されるものではなく、請求の範囲に明記された本発明の精神を逸脱することなくさまざまな再構成、修正および置換が可能である。
【図１】
0003936400.tif 000005
【図２】
0003936400.tif 000006
【図３】
0003936400.tif 000007
【図４】
0003936400.tif 000008
【図５】
0003936400.tif 000009
【図６】
0003936400.tif 000010